(57)【特許請求の範囲】
【請求項１】
装置本体に対してそれぞれ着脱自在な電池および記録媒体と、それらをそれぞれ収納する収納室と、ストロボを発光させるためのストロボ用チャージコンデンサを備え、光学系を介して撮像した被写体象を電気信号に変換して前記記録媒体に記録するようにした撮像装置であって、
電池収納室が離間して配設され、前記電池収納室に複数本の主電池を分散配置し、前記離間して配設された電池収納室に形成される間隙に、前記記録媒体を保護する蓋部材のロック機構を設けたことを特徴とする撮像装置。
【請求項２】
前記離間して配設された電池収納室に形成される間隙に、少なくともメモリバックアップ用の副電池収納室を含む構成部材を設けたことを特徴とする請求項１に記載の撮像装置。
【請求項３】
前記ロック機構は、前記電池収納室の蓋部材のロック機構を兼ねることを特徴とする請求項１に記載の撮像装置。
【発明の詳細な説明】
【０００１】
【発明の属する技術分野】
本発明は、電池および記録媒体、ストロボ用チャージコンデンサ、メモリバックアップ用の副電池等を備えた撮像装置、特にそれらの構成部材を効率よく配置して、撮像装置を小型化するための内部構成部材のレイアウトに関するものである。
【０００２】
【従来の技術】
従来から、撮像素子等により取り込まれた画像を表示または記録媒体に記録することが可能な撮像装置（デジタルスチルカメラ等）が広く普及している。このような撮像装置においては、電気系の構成部材が多数使用されている。これらの構成部材の中でも、特に電源電池として使用する複数本の乾電池およびストロボ用チャージコンデンサ等が装置内部において占有する容積が大きい。
【０００３】
従来の撮像装置においては、たとえば特開平１１−００８７８６号公報あるいは特開平８−１８６７６８号公報等によって示すように、撮像装置の把持部に複数本の電池収納室を重ねて配設している。
また、ストロボコンデンサは画像記録時におけるビューファインダおよび画像再生時におけるモニタ兼用の液晶表示装置と厚み方向で重ねて配置されているものもある。さらに電池収納室の電池挿入口を撮像装置の底面部に、記録媒体スロットの記録媒体挿入口を撮像装置の側面部に設けている構成となっている。
【０００４】
【発明が解決しようとする課題】
しかしながら、撮像装置の小型化を検討する場合、上述の例に示す撮像装置は、必ずしも小型化に有利な配置がなされているとは言えない。すなわち、複数の主電池が本体厚み方向に重ねて配設されていること、あるいはまたストロボコンデンサが液晶表示装置と厚み方向で重なる位置に配置されていることから、特に撮像装置本体の厚み方向で不利である。
また、複数本の主電池が本体厚み方向で重なる位置に配置していることから、電池収納室の温度上昇および高圧部接触による危険性、一本の主電池に液漏れが発生した際の他主電池への影響が懸念される。
【０００５】
さらに、電池収納室の電池挿入口を撮像装置底面部に、記録媒体スロットの記録媒体挿入口を撮像装置側面部に配置されていることから、撮像装置本体の底面部および側面部の挿入口のそれぞれに蓋部材、さらに蓋部材を保持するためのロック機構を設ける必要がある。そのため装置が大型化してしまうという問題点がある。
【０００６】
以上の事実に鑑み、本発明は上述の不具合を解決するためになされたものであり、撮像装置における内部構成部材の配置を効率的に行って、本来有する撮像装置の機能を損なわずに小型化を実現し、なお電池収納室の熱の発散および冷却に有利な撮像装置を提供するものである。
【０００７】
【課題を解決するための手段】
本発明の撮像装置は、装置本体に対してそれぞれ着脱自在な電池および記録媒体と、それらをそれぞれ収納する収納室と、ストロボを発光させるためのストロボ用チャージコンデンサを備え、光学系を介して撮像した被写体象を電気信号に変換して前記記録媒体に記録するようにした撮像装置であって、電池収納室が離間して配設され、前記電池収納室に複数本の主電池を分散配置し、前記離間して配設された電池収納室に形成される間隙に、前記記録媒体を保護する蓋部材のロック機構を設けたことを特徴とする。
【０００８】
また、本発明の撮像装置において、前記離間して配設された電池収納室に形成される間隙に、少なくともメモリバックアップ用の副電池収納室を含む構成部材を設けたことを特徴とする。
【０００９】
また、本発明の撮像装置において、前記ロック機構は、前記電池収納室の蓋部材のロック機構を兼ねることを特徴とする。
【００１３】
本発明によれば、撮像装置における内部構成部材の配置を効率的に行って、電池収納室および記録媒体スロットの蓋部材を保持するロック機構、またはメモリバックアップ用の副電池収納室等の構成部材が必要とする充分な容積を無駄なく確保することで、本来有する撮像装置の機能を損なわずに小型化を実現し、電池収納室の熱の発散および冷却に有利な撮像装置を提供することができる。
【００１４】
【発明の実施の形態】
以下に、本発明による撮像装置の実施の形態を図面に従い説明する。
図１〜図４は、本発明の撮像装置の図を示す。図１、図２および図３は、本発明の撮像装置の外観および一部の内部構成部材を示した図である。図４は図１の側面図であり、本発明による撮像装置における電池収納室の蓋部材および記録媒体スロットの記録媒体挿入口を示している。なお、電池収納室の蓋部材は閉状態、記録媒体を保護する蓋部材は開状態がそれぞれ図示される。
【００１５】
図において、１は撮像装置の装置本体であり、前面部には撮影光学系レンズ鏡筒２の撮影レンズ用開口部３が配置され、また図１〜図３の右上部にストロボ発光窓４が設けられている。後面部には、液晶表示装置（図示せず）があり、撮像する被写体像の確認や撮像された画像の再生表示に用いられる。５はシャッタボタンであり、このシャッタボタン５の操作により被写体が撮像され、後述する記録媒体１３に被写体像の画象データが記録される。その下にはシャッタボタン操作基板６が配置される。
【００１６】
７は電源となる主電池、８は電池収納室の蓋部材であり（図４）、この蓋部材８を開状態にすることによって主電池７の挿抜が可能になる。９はメモリバックアップ用の副電池、１０はその電池ホルダであり、副電池９を保持して装置本体１内に収納する。１１はストロボを発光させるためのストロボ用チャージコンデンサである。１２は記録媒体１３の挿入口、１３は記録媒体であり、信号処理された被写体像が記録され、装置本体１に対して着脱可能である。１４は記録媒体１３を保護する蓋部材であり、この蓋部材１４を開状態にすることによって記録媒体１３の挿抜が可能になる。１５は電池収納室の蓋部材８および記録媒体１３を保護する蓋部材１４のロック機構である。なお、蓋部材１４はヒンジ１６を介して、装置本体１に回動可能に結合する。
【００１７】
つぎに、本実施形態の撮像装置における構成部材レイアウトについて、以下に説明する。
図１は、本発明による実施形態の撮像装置の前面から見た外観および一部内部構成部材を示した図である。図示のように撮像装置の装置本体１上面に位置するシャッタボタン操作基板６の直下と装置本体１底面とにそれぞれ離間して配置した略密封構造の電池収納室（主電池７）に挟まれて保持されたストロボ用チャージコンデンサ１１が配置される。該電池収納室の全長と該ストロボ用チャージコンデンサ１１の全長の差により形成される間隙に、電池収納室の蓋部材８および記録媒体を保護する蓋部材１４のロック機構１５を設けている。
【００１８】
このロック機構１５により、電池収納室の蓋部材８および記録媒体１３を保護する蓋部材１４が閉状態に保持される。ロック機構１５は、電池収納室の蓋部材８および記録媒体１３を保護する蓋部材１４の両方をロックするものでも、いずれか片方をロックするものであってもよい。
【００１９】
図２は、本発明による実施形態の撮像装置の前面から見た外観および一部内部構成部材を示した図であり、構成部材レイアウトの別の例を示している。図示のように撮影光学系を保持するレンズ鏡筒２の側面と装置本体１の側面側にそれぞれ離間して配置した略密封構造の電池収納室（主電池７）に挟まれて保持されたストロボ用チャージコンデンサ１１が配置される。該電池収納室の全長と該ストロボ用チャージコンデンサ１１の全長の差により形成される間隙に、電池収納室の蓋部材８および記録媒体を保護する蓋部材１４のロック機構１５を設けている。
【００２０】
図１および図２のようにレイアルトすることで、装置本体１の間隙を有効利用することができ、装置本体１を大型化することなく、蓋部材８，１４のロック機構１５を収納することができる。また、この大きな間隙によって蓋部材８，１４のロック機構１５の設計自由度が向上し、比較的安価なロック機構を提供することができる。
さらに、離間して配置した電池収納室およびストロボ用チャ−ジコンデンサ等の構成部材が配置される中央部間隙を略密封構造としたことで、熱の分散および冷却に有利となる。
【００２１】
図３は、本発明による実施形態の撮像装置前面からみた外観および一部内部構成部材を示した図であり、構成部材レイアウトのさらに別の例を示している。図示のように装置本体１上面に位置するシャッタボタン操作基板６直下と装置本体１底面とにそれぞれ離間して配置した略密封構造の電池収納室（主電池７）に挟まれて保持されたストロボ用チャージコンデンサ１１が配置される。該電池収納室の全長と該ストロボ用チャージコンデンサの全長の差により形成される間隙に、メモリバックアップ用の副電池ホルダ１０を設けている。
【００２２】
図３のようにレイアウトすることにより、装置本体１の大きな間隙を有効利用することで、装置本体１を大型化することなく、メモリバックアップ用の副電池９等の構成部材が必要とする充分な容積を無駄なく確保することができ、小型化を実現した撮像装置を提供することができる。
【００２３】
図４は、図１における撮像装置の電池収納室の電池蓋および記録媒体スロットの記録媒体挿入口の図を表現している。図示のように、該電池収納室とストロボ用チャージコンデンサ１１は記録媒体スロットの前面部に位置するとともに、その主面が装置本体１の前面部に平行になるように配置され、電池収納室の電池挿入口および記録媒体スロットの記録媒体挿入口１２を隣接して設けている。また、該電池挿入口および該記録媒体挿入口１２には、回動することによりこれらの挿入口に対して開閉自在な蓋部材８，１４がそれぞれ設けられており、それぞれ蓋部材８，１４を閉状態に保持するためのロック機構１５が離間して配置した電池収納室（主電池７）に挟まれている。
【００２４】
図１および図２に示した場合と同様、このようにレイアウトすることで、装置本体１の間隙を有効利用することができ、装置本体１を大型化することなく蓋部材のロック機構を収納することができる。
【００２５】
【発明の効果】
以上説明したように本発明によれば、この種の撮像装置において装置構成部材のレイアウトを工夫することで、装置本体の間隙を有効利用することができる。これにより装置本体を大型化することなく蓋部材のロック機構を収納することができる。また、かかる大きな間隙によって、蓋部材のロック機構設計の自由度が向上し、比較的安価なロック機構を提供することができる。
また、装置本体の大きな間隙を有効利用することで、本体を大型化することなく、メモリバックアップ用の副電池等の構成部材が必要とする充分な容積を無駄なく確保することができ、小型化を実現し、なお電池収納室の熱の発散および冷却に有利な撮像装置を提供することができる。
【図面の簡単な説明】
【図１】本発明の撮像装置の実施形態における外観および一部の内部構成部材を示した図である。
【図２】本発明の撮像装置の実施形態における外観および一部の内部構成部材を示した図である。
【図３】本発明の撮像装置の実施形態における外観および一部の内部構成部材を示した図である。
【図４】本発明の撮像装置を示す図1の側面図である。
【符号の説明】
１    撮像装置本体
２    レンズ鏡筒部
３    撮影レンズ用開口部
４    ストロボ発光窓
５    シャッタボタン
６    シャッタボタン操作基板
７    主電池
８    電池収納室の蓋部材
９    副電池
１０    電池ホルダ
１１    ストロボコンデンサ
１２    記録媒体挿入口
１３    記録媒体
１４    記録媒体保護の蓋部材
１５    ロック機構
１６    ヒンジ
【図１】
0003684194.tif 000002
【図２】
0003684194.tif 000003
【図３】
0003684194.tif 000004
【図４】
0003684194.tif 000005